(57)【要約】【課題】本発明は、ユーザの現在位置周辺の地域において流行しているエンターテイメント情報のリストを作成することが可能な情報処理装置および情報処理方法を提供することを目的とする。【解決手段】本発明による情報処理装置は、他車両が有するエンターテイメント情報を、通信によって他車両から取得する車車間通信処理部７と、自車両の位置情報を取得する位置情報取得部２１と、地図情報を取得する地図情報取得部２２と、位置情報取得部２１にて取得された位置情報と、地図情報取得部２２にて取得された地図情報とに基づいて、自車両が存在する地域の情報である地域情報を作成する地域情報作成部７１と、車車間通信処理部７にて取得されたエンターテイメント情報と、地域情報作成部７１にて作成された地域情報とを対応付けたリストを作成するとともに、当該作成したリストを絞り込んだリストを作成するリスト作成部７２とを備える。【選択図】図１
2014203350.tif 000002
【特許請求の範囲】
【請求項１】
他車両が有するエンターテイメント情報を、通信によって前記他車両から取得する通信部と、
自車両の位置情報を取得する位置情報取得部と、
地図情報を取得する地図情報取得部と、
前記位置情報取得部にて取得された前記位置情報と、前記地図情報取得部にて取得された前記地図情報とに基づいて、前記自車両が存在する地域の情報である地域情報を作成する地域情報作成部と、
前記通信部にて取得された前記エンターテイメント情報と、前記地域情報作成部にて作成された前記地域情報とを対応付けたリストを作成するとともに、当該作成したリストを絞り込んだリストを作成するリスト作成部と、
を備える、情報処理装置。
【請求項２】
前記自車両の目的地を設置した場合において、
前記リスト作成部は、前記目的地周辺でのみ前記エンターテイメント情報と前記地域情報とを対応付けたリストを作成するとともに、前記絞り込んだリストを作成することを特徴とする、請求項１に記載の情報処理装置。
【請求項３】
前記エンターテイメント情報は、音楽のプレイリストの情報を含むことを特徴とする、請求項１または２に記載の情報処理装置。
【請求項４】
前記通信部は、車車間通信または予め定められた通信網を介して前記他車両から前記エンターテイメント情報を取得することを特徴とする、請求項１ないし３のいずれかに記載の情報処理装置。
【請求項５】
前記通信部は、前記他車両との通信を行うか否かの設定が可能であることを特徴とする、請求項１ないし４のいずれかに記載の情報処理装置。
【請求項６】
前記通信部は、前記自車両内に存在する少なくとも１つ以上の携帯端末から前記エンターテイメント情報を取得することを特徴とする、請求項１ないし５のいずれかに記載の情報処理装置。
【請求項７】
前記リスト作成部にて作成された前記絞り込んだリストを記憶するリスト記憶部をさらに備えることを特徴とする、請求項１ないし６のいずれかに記載の情報処理装置。
【請求項８】
前記リスト記憶部に記憶された前記絞り込んだリストを表示する表示部をさらに備えることを特徴とする、請求項７に記載の情報処理装置。
【請求項９】
他者の携帯端末が有するエンターテイメント情報を、通信によって前記他者の携帯端末から取得する通信部と、
自身の携帯端末の位置情報を取得する位置情報取得部と、
地図情報を取得する地図情報取得部と、
前記位置情報取得部にて取得された前記位置情報と、前記地図情報取得部にて取得された前記地図情報とに基づいて、前記自身の携帯端末が存在する地域の情報である地域情報を作成する地域情報作成部と、
前記通信部にて取得された前記エンターテイメント情報と、前記地域情報作成部にて作成された前記地域情報とを対応付けたリストを作成するとともに、当該作成したリストを絞り込んだリストを作成するリスト作成部と、
を備える、情報処理装置。
【請求項１０】
第１の移動体が有するエンターテイメント情報を、通信によって前記第１の移動体から取得する通信部と、
第２の移動体の位置情報を取得する位置情報取得部と、
地図情報を取得する地図情報取得部と、
前記位置情報取得部にて取得された前記位置情報と、前記地図情報取得部にて取得された前記地図情報とに基づいて、前記第２の移動体が存在する地域の情報である地域情報を作成する地域情報作成部と、
前記通信部にて取得された前記エンターテイメント情報と、前記地域情報作成部にて作成された前記地域情報とを対応付けたリストを作成するとともに、当該作成したリストを絞り込んだリストを作成するリスト作成部と、
を備え、
前記通信部は、前記リスト作成部にて作成された前記絞り込んだリストを前記第２の移動体に送信することを特徴とする、情報処理装置。
【請求項１１】
（ａ）他車両が有するエンターテイメント情報を、通信によって前記他車両から取得する工程と、
（ｂ）自車両の位置情報を取得する工程と、
（ｃ）地図情報を取得する工程と、
（ｄ）前記工程（ｂ）にて取得された前記位置情報と、前記工程（ｃ）にて取得された前記地図情報とに基づいて、前記自車両が存在する地域の情報である地域情報を作成する工程と、
（ｅ）前記工程（ａ）にて取得された前記エンターテイメント情報と、前記工程（ｄ）にて作成された前記地域情報とを対応付けたリストを作成するとともに、当該作成したリストを絞り込んだリストを作成する工程と、
を備える、情報処理方法。
【発明の詳細な説明】
【技術分野】
【０００１】
本発明は、外部から取得したエンターテイメント情報のリストを編集して作成する情報処理装置および情報処理方法に関する。
【背景技術】
【０００２】
エンターテイメント情報のリスト（以下、単にリストという）の作成は、周知の技術として幅広く利用されている。ここで、エンターテイメント情報は、音楽や映像等、エンターテイメントに関する情報のことをいう。また、リストとは、音楽や映像等の元データに対応するリストのことをいい、例えばタイトル、作者、歌手名等を含むリストのことをいう。すなわち、リストはエンターテイメント情報に含まれている。
【０００３】
例えば、インターネット上のサービスや情報誌等では、日本国内における音楽（あるいは映像）のトップ１０のリストや、世界における音楽（あるいは映像）のトップ１０のリスト等を作成している。このように、インターネット上のサービスや情報誌等では、多くのエンターテイメント情報から、広域（例えば、日本や世界）において流行しているエンターテイメント情報を抽出した（絞り込んだ）リストを作成し、当該リストを提供している。
【０００４】
また、自車両の現在位置を中心とする所定範囲内の地域に関する種々のコンテンツ（地域の情報）を他車両から取得して記憶し、必要時にユーザが所望するコンテンツを表示する技術が開示されている（例えば、特許文献１参照）。
【先行技術文献】
【特許文献】
【０００５】
【特許文献１】特開２００４−２４６５６７号公報
【発明の概要】
【発明が解決しようとする課題】
【０００６】
特許文献１では、ユーザにコンテンツを表示する際に、自車両の現在位置周辺の地域において流行しているコンテンツを絞り込んだリストは表示しない。
【０００７】
このように、従来では、広域において流行しているエンターテイメント情報を知ることはできるが、ユーザの現在位置周辺の地域において流行しているエンターテイメント情報を知ることができなかった。
【０００８】
本発明は、これらの問題を解決するためになされたものであり、ユーザの現在位置周辺の地域において流行しているエンターテイメント情報のリストを作成することが可能な情報処理装置および情報処理方法を提供することを目的とする。
【課題を解決するための手段】
【０００９】
上記の課題を解決するために、本発明による情報処理装置は、他車両が有するエンターテイメント情報を、通信によって他車両から取得する通信部と、自車両の位置情報を取得する位置情報取得部と、地図情報を取得する地図情報取得部と、位置情報取得部にて取得された位置情報と、地図情報取得部にて取得された地図情報とに基づいて、自車両が存在する地域の情報である地域情報を作成する地域情報作成部と、通信部にて取得されたエンターテイメント情報と、地域情報作成部にて作成された地域情報とを対応付けたリストを作成するとともに、当該作成したリストを絞り込んだリストを作成するリスト作成部とを備える。
【００１０】
また、本発明による情報処理方法は、（ａ）他車両が有するエンターテイメント情報を、通信によって他車両から取得する工程と、（ｂ）自車両の位置情報を取得する工程と、（ｃ）地図情報を取得する工程と、（ｄ）工程（ｂ）にて取得された位置情報と、工程（ｃ）にて取得された地図情報とに基づいて、自車両が存在する地域の情報である地域情報を作成する工程と、（ｅ）工程（ａ）にて取得されたエンターテイメント情報と、工程（ｄ）にて作成された地域情報とを対応付けたリストを作成するとともに、当該作成したリストを絞り込んだリストを作成する工程とを備える。
【発明の効果】
【００１１】
本発明によると、情報処理装置は、他車両が有するエンターテイメント情報を、通信によって他車両から取得する通信部と、自車両の位置情報を取得する位置情報取得部と、地図情報を取得する地図情報取得部と、位置情報取得部にて取得された位置情報と、地図情報取得部にて取得された地図情報とに基づいて、自車両が存在する地域の情報である地域情報を作成する地域情報作成部と、通信部にて取得されたエンターテイメント情報と、地域情報作成部にて作成された地域情報とを対応付けたリストを作成するとともに、当該作成したリストを絞り込んだリストを作成するリスト作成部とを備えるため、ユーザの現在位置周辺の地域において流行しているエンターテイメント情報のリストを作成することが可能となる。
【００１２】
また、情報処理方法は、（ａ）他車両が有するエンターテイメント情報を、通信によって他車両から取得する工程と、（ｂ）自車両の位置情報を取得する工程と、（ｃ）地図情報を取得する工程と、（ｄ）工程（ｂ）にて取得された位置情報と、工程（ｃ）にて取得された地図情報とに基づいて、自車両が存在する地域の情報である地域情報を作成する工程と、（ｅ）工程（ａ）にて取得されたエンターテイメント情報と、工程（ｄ）にて作成された地域情報とを対応付けたリストを作成するとともに、当該作成したリストを絞り込んだリストを作成する工程とを備えるため、ユーザの現在位置周辺の地域において流行しているエンターテイメント情報のリストを作成することが可能となる。
【図面の簡単な説明】
【００１３】
【図１】本発明の実施の形態による情報処理装置の構成の一例を示すブロック図である。
【図２】本発明の実施の形態による情報処理装置を搭載する車両内の構成の一例を示す図である。
【図３】本発明の実施の形態による情報処理装置の動作の一例を示す図である。
【発明を実施するための形態】
【００１４】
本発明の実施の形態について、図面に基づいて以下に説明する。
【００１５】
まず、本実施の形態による情報処理装置の構成について説明する。なお、以下では、情報処理装置は車両内に搭載されたＡＶＮ（Audio Visual Navigation）（登録商標）装置であるものとして説明する。
【００１６】
図１は、本実施の形態による情報処理装置１の構成の一例を示すブロック図である。図２は、情報処理装置１を搭載する車両内の構成の一例を示す図である。
【００１７】
図１に示すように、情報処理装置１は、ナビゲーション部２と、端末通信処理部３と、エンターテイメント情報記憶部４と、リスト記憶部５と、エンターテイメント情報取得部６と、車車間通信処理部７と、制御部８と、作成リスト記憶部９と、表示処理部１０とを備えている。
【００１８】
また、図１，２に示すように、車両１１内に搭載された情報処理装置１において、端末通信処理部３は端末通信機１２に接続され、車車間通信処理部７は車車間通信機１３に接続され、表示処理部１０はディスプレイ１４に接続されている。なお、端末通信機１２と携帯端末１５とは通信可能に接続されている。
【００１９】
ナビゲーション部２は、現在位置から目的地までの経路を算出して案内する機能を有しており、位置情報取得部２１と地図情報取得部２２とを備えている。
【００２０】
位置情報取得部２１は、自車両の位置情報を取得する。位置情報取得部２１としては、例えば、ＧＰＳ（Global Positioning System）などが挙げられる。
【００２１】
地図情報取得部２２は、地図情報を取得する。
【００２２】
端末通信処理部３は、端末通信機１２を制御し、車両１１内に存在する携帯端末１５が有するエンターテイメント情報を、通信によって携帯端末１５から取得する。すなわち、端末通信処理部３と端末通信機１２とで通信部を構成している。このとき、端末通信機１２および端末通信処理部３を介して携帯端末１５から取得したエンターテイメント情報には、携帯端末１５が有する音楽や映像等の元データと、当該元データに対応するリストとが含まれている。
【００２３】
エンターテイメント情報記憶部４は、携帯端末１５から取得したエンターテイメント情報の元データ（音楽や映像の元データ）を記憶している。
【００２４】
リスト記憶部５は、携帯端末１５から取得したリストを記憶している。
【００２５】
上記より、エンターテイメント情報記憶部４およびリスト記憶部５には、自車両内に存在するユーザの嗜好に応じたエンターテイメント情報が記憶される。
【００２６】
エンターテイメント情報取得部６は、エンターテイメント情報記憶部４からエンターテイメント情報の元データを取得して制御部８に送る。また、リスト記憶部５からリストを取得して制御部８に送る。
【００２７】
車車間通信処理部７は、車車間通信機１３を制御し、他車両が有するリスト（エンターテイメント情報）を、車車間通信によって他車両から取得する。すなわち、車車間通信処理部７と車車間通信機１３とで通信部を構成している。このとき、車車間通信機１３および車車間通信処理部７を介して他車両から取得したエンターテイメント情報には、他車両が有するリストのみが含まれている（エンターテイメント情報の元データは含まれていない）。
【００２８】
制御部８は、地域情報作成部８１とリスト作成部８２とを備えている。
【００２９】
地域情報作成部８１は、位置情報取得部２１にて取得された位置情報と、地図情報取得部２２にて取得された地図情報とに基づいて、自車両が存在する地域の情報である地域情報を作成する。ここで、地域情報とは、位置情報と地図情報とに基づいて特定される地域に関する情報のことをいい、都道府県や市区町村などの行政区域の情報、あるいはユーザが任意に設定した範囲の情報を含む。
【００３０】
リスト作成部８２は、車車間通信処理部７を介して他車両から取得したリストと、地域情報作成部８１にて作成された地域情報とを対応付けたリストを作成するとともに、当該作成したリストを絞り込んだリストを作成する。すなわち、リスト作成部８２は、自車両が存在する地域ごとにリストを作成するとともに、作成したリストのうち所定数に絞り込んだリストを作成する。
【００３１】
作成リスト記憶部９は、リスト作成部８２にて作成された地域ごとのリストと、当該リストを所定数に絞り込んだリストとを記憶する。
【００３２】
表示処理部１０は、ディスプレイ１４を制御し、作成リスト記憶部９に記憶された所定数に絞り込んだリストを表示させる。すなわち、表示処理部１０とディスプレイ１４とで表示部を構成している。
【００３３】
次に、情報処理装置１の動作について説明する。なお、以下において、他車両は、少なくとも図１，２に示すリスト記憶部５、車車間通信処理部７、車車間通信機１３と同様の構成を備えているものとする。
【００３４】
図３は、情報処理装置１の動作の一例を示すフローチャートである。
【００３５】
ステップＳ３１において、車車間通信処理部７は、車車間通信機１３を制御し、他車両が有するリストを、車車間通信によって他車両から取得する。
【００３６】
具体的には、車車間通信機１３の通信エリア（通信可能な範囲）内に他車両が入ると、当該他車両からリスト（例えば、音楽のプレイリストなど）の取得処理を開始する。
【００３７】
ステップＳ３２において、位置情報取得部２１は、自車両の現在の位置情報を取得する。
【００３８】
ステップＳ３３において、地域情報作成部８１は、ステップＳ３２にて取得した自車両の位置情報と、地図情報取得部２２が取得した地図情報とに基づいて、自車両が現在存在する地域を特定し、当該特定した地域を地域情報として作成する。
【００３９】
ステップＳ３４において、リスト作成部８２は、ステップＳ３１にて他車両から取得したリストと、ステップＳ３３にて作成した地域情報とを対応付けたリストを作成する。
【００４０】
ステップＳ３５において、リスト作成部８２は、ステップＳ３４にて作成したリストと同じ地域情報を有するリストが作成リスト記憶部９に存在するか否かを判断する。同じ地域情報を有するリストが作成リスト記憶部９に存在する場合はステップＳ３６に移行する。一方、同じ地域情報を有するリストが作成リスト記憶部９に存在しない場合はステップＳ３７に移行する。
【００４１】
ステップＳ３６において、リスト作成部８２は、同じ地域情報を有するリストを作成リスト記憶部９から取得する。次いで、作成リスト記憶部９から取得したリストに対して、ステップＳ３４にて作成したリストを追加する。また、リスト作成部８２は、追加して作成したリストを絞り込んだリストを作成する。
【００４２】
このように、リスト作成部８２は、例えば、他車両から取得した音楽のプレイリストを地域ごとに作成するとともに、各地域に対応する音楽のプレイリスト全体のうち再生回数が多い順に所定数（例えば１０曲）をリスト（絞り込んだリスト）として作成する。すなわち、地域ごとに取得した音楽のプレイリストのうち、よく聴かれている音楽のプレイリストを例えば上位１０曲のランキング形式のリストとして作成する。
【００４３】
ステップＳ３７において、リスト作成部８２は、ステップＳ３４にて作成したリストを新規のリストとして作成する。また、リスト作成部８２は、新規のリストを絞り込んだリストを作成する。ここで、絞り込まれたリストは、例えば、新規のリストのうち再生回数が多い順に所定数（例えば１０曲）をリスト（絞り込んだリスト）として作成する。
【００４４】
ステップＳ３８において、作成リスト記憶部９は、ステップＳ３６にて追加して作成したリストおよび当該リストを絞り込んだリストを記憶する。また、作成リスト記憶部９は、ステップＳ３７にて作成した新規のリストおよび当該新規のリストを絞り込んだリストを記憶する。
【００４５】
ステップＳ３８の後、制御部８は、表示処理部１０に対して、ディスプレイ１４を制御して作成リスト記憶部９に記憶された絞り込んだリスト（すなわち、ステップＳ３６，Ｓ３７にて作成した絞り込んだリスト）を表示させるよう制御する。その結果、ディスプレイ１４には、絞り込んだリストが表示される。
【００４６】
上記の処理（絞り込んだリストの作成・記憶に関する処理）は、他車両からエンターテイメント情報のリストを取得する毎に行われる。従って、ディスプレイ１４に表示される絞り込まれたリストは、他車両からエンターテイメント情報のリストを取得する毎に、リアルタイムに変化する。
【００４７】
ユーザは、ディスプレイ１４に表示されたリストの中から所望のエンターテイメント情報を選択し、当該エンターテイメント情報を再生させることができる。例えば、ディスプレイ１４に音楽のリストが表示されている場合は、当該リストから所望の曲名を選択することによって、選択した曲を再生させることができる。なお、エンターテイメント情報の再生は、エンターテイメント情報記憶部４に記憶されている場合は、当該エンターテイメント情報記憶部４から読み出して再生する。また、エンターテイメント情報記憶部４にエンターテイメント情報が記憶されていない場合は、例えば端末通信処理部３、端末通信機１２、および携帯端末１５を介して外部からエンターテイメント情報をダウンロードしてもよい。ダウンロードしたエンターテイメント情報は、エンターテイメント情報記憶部４に記憶してもよい。
【００４８】
以上のことから、本実施の形態によれば、ユーザの現在位置周辺の地域において流行しているエンターテイメント情報のリストを作成し記憶することが可能となる。また、ユーザは、リアルタイムに変化する最新のエンターテイメント情報をディスプレイで認識することができる。
【００４９】
以上で説明した情報処理装置１は、車載用ナビゲーション装置、すなわちカーナビゲーション装置だけでなく、車両に搭載可能な、ＰＮＤ（Portable Navigation Device）および携帯通信端末（例えば、携帯電話、スマートホン、およびタブレット端末など）、並びにサーバなどを適宜に組み合わせてシステムとして構築されるナビゲーション装置にも適用することができる。この場合、情報処理装置１の各機能あるいは各構成要素は、上記システムを構築する各機能に分散して配置される。
【００５０】
具体的には、情報処理装置１の一部の機能を携帯通信端末、ＰＮＤあるいはサーバに配置することができる。また、車載装置としてＤＡ（Display Audio）を用いた場合、ＤＡは表示および音声出力のみが可能なのでそれ以外の機能を携帯通信端末、ＰＮＤ、あるいはサーバに配置することができる。
【００５１】
例えば、情報処理装置１の機能が携帯通信端末（携帯端末）に配置される場合において、情報処理装置１は、他者の携帯端末が有するエンターテイメント情報を、通信によって他者の携帯端末から取得する通信部と、自身の携帯端末の位置情報を取得する位置情報取得部と、地図情報を取得する地図情報取得部と、位置情報取得部にて取得された位置情報と、地図情報取得部にて取得された地図情報とに基づいて、自身の携帯端末が存在する地域の情報である地域情報を作成する地域情報作成部と、通信部にて取得されたエンターテイメント情報と、地域情報作成部にて作成された地域情報とを対応付けたリストを作成するとともに、当該作成したリストを絞り込んだリストを作成するリスト作成部とを備える。
【００５２】
また、情報処理装置１の機能がサーバに配置される場合において、情報処理装置１は、第１の移動体が有するエンターテイメント情報を、通信によって第１の移動体から取得する通信部と、第２の移動体の位置情報を取得する位置情報取得部と、地図情報を取得する地図情報取得部と、位置情報取得部にて取得された位置情報と、地図情報取得部にて取得された地図情報とに基づいて、第２の移動体が存在する地域の情報である地域情報を作成する地域情報作成部と、通信部にて取得されたエンターテイメント情報と、地域情報作成部にて作成された地域情報とを対応付けたリストを作成するとともに、当該作成したリストを絞り込んだリストを作成するリスト作成部とを備え、通信部は、リスト作成部にて作成された絞り込んだリストを第２の移動体に送信する。
【００５３】
上記の構成とした場合であっても、実施の形態と同様の効果が得られる。
【００５４】
また、実施の形態における動作を実行するソフトウェア（情報処理方法）を、例えば、携帯通信端末、ＰＮＤあるいはサーバに組み込んでもよい。
【００５５】
具体的に、上記の情報処理方法は、（ａ）他車両が有するエンターテイメント情報を、通信によって他車両から取得する工程と、（ｂ）自車両の位置情報を取得する工程と、（ｃ）地図情報を取得する工程と、（ｄ）工程（ｂ）にて取得された位置情報と、工程（ｃ）にて取得された地図情報とに基づいて、自車両が存在する地域の情報である地域情報を作成する工程と、（ｅ）工程（ａ）にて取得されたエンターテイメント情報と、工程（ｄ）にて作成された地域情報とを対応付けたリストを作成するとともに、当該作成したリストを絞り込んだリストを作成する工程とを備える。
【００５６】
上記より、実施の形態における動作を実行するソフトウェアを携帯通信端末、ＰＮＤあるいはサーバに組み込んで動作させることによって、実施の形態と同様の効果が得られる。
【００５７】
なお、図１において、ナビゲーション部２、端末通信処理部３、エンターテイメント情報取得部６、車車間通信処理部７、制御部８の各々は、ソフトウェアに基づくＣＰＵを用いたプログラム処理を実行することによって実現されるものとして説明したが、可能であれば、ナビゲーション部２、端末通信処理部３、エンターテイメント情報取得部６、車車間通信処理部７、制御部８の各々を、ハードウェア（例えば、電気信号に対して特定の演算あるいは処理を行うように構成された演算／処理回路等）として構成するようにしてもよい。また、上記の両者を混在させてもよい。
【００５８】
図１において、エンターテイメント情報記憶部４、リスト記憶部５、および作成リスト記憶部９の各々は、データを記憶しておく機能を、例えばＨＤＤ（Hard Disk Drive）、ＤＶＤ（Digital Versatile Disk）、半導体メモリなどによって構成してもよい。
【００５９】
上述の通り、ナビゲーション部２は、現在位置から目的地までの経路を算出して案内する機能を有している。例えば、自車両の目的地を設定した場合において、リスト作成部８２は、目的地周辺でのみ他車両から取得したリストと地域情報とを対応付けたリストを作成するとともに、作成したリストを絞り込んだリストを作成することができる。ここで、目的地周辺とは、例えば、目的地を含む都道府県や市区町村などの行政区域、あるいは目的地を中心とした半径１０ｋｍ圏内の地域を含む。このような構成とすることによって、例えば、目的地周辺で一定の期間滞在する場合に、目的地周辺の地域で流行しているエンターテイメント情報を認識することができる。このとき、自車両が目的地に到着したらリスト作成の有無をユーザに問うようにしてもよい。
【００６０】
また、目的地に到着するまでに通過する地域に対応するリストおよび絞り込んだリストを作成するようにしてもよく、この場合、通過する地域の範囲を広く設定するようにしてもよい。
【００６１】
図１，２において、リスト記憶部５に記憶されているリストを、車車間通信処理部７および車車間通信機１３を介して他車両に送信してもよい。このとき、車車間通信処理部７および車車間通信機１３を構成する通信部は、他車両との通信を行うか否かの設定を可能にしてもよい。このようにすることによって、他車両との通信を行わないように設定することによって、リスト記憶部５に記憶されているリストを他車両に送信しないようにすることができる。
【００６２】
図２では、１つの携帯端末１５が図示されているが、携帯端末１５は車両１１内に複数あってもよい。この場合、複数の携帯端末１５からエンターテイメント情報を取得することができる。なお、携帯端末１５は、端末通信処理部３および端末通信機１２との通信を行うか否かの設定を可能にしてもよい。
【００６３】
図１，２では、車車間通信処理部７および車車間通信機１３を介して他車両からリストを取得することについて説明したが、これに限るものではない。例えば、車車間通信処理部７および車車間通信機１３に代えて、端末通信処理部３および端末通信機１２を介して他車両からリストを取得するようにしてもよい。すなわち、他車両からエンターテイメント情報を取得する際は、車車間通信でなくてもよく、その他の予め定められた通信網（例えば、携帯通信網、無線通信網など）を介して取得してもよい。従って、車車間通信によって他車両からエンターテイメント情報を取得しない場合（例えば、携帯通信網を介してエンターテイメント情報を取得する場合）は、車車間通信処理部７および車車間通信機１３を省略することができる。
【００６４】
図１，２では、端末通信処理部３および端末通信機１２を介して携帯端末１５からエンターテイメント情報を取得することについて説明したが、これに限るものではない。例えば、ＣＤ（Compact Disc）、ＤＶＤ（Digital Versatile Disk）、ＵＳＢ（Universal Serial Bus）メモリ等に記憶されているエンターテイメント情報を取得するようにしてもよい。この場合、端末通信処理部３および端末通信機１２を省略することができる。
【００６５】
図１において、位置情報および地図情報は、端末通信処理部３、端末通信機１２、および携帯端末１５を介して取得してもよい。このような構成とすることによって、ナビゲーション部２を省略することができる。なお、携帯端末１５は、位置情報および地図情報を取得する機能を有することが前提となる。
【００６６】
図２において、車車間通信機１３は、電波強度に基づいて通信エリアを制限してもよい。例えば、より多くの他車両からエンターテイメント情報を取得したい場合は通信エリアを広く設定し、自車両の前後左右に存在する車両からエンターテイメント情報を取得したい場合は通信エリアを狭く設定する。従って、自車両周辺の任意のエリア（地域）に対応したリストを作成することができる。
【００６７】
なお、本発明は、その発明の範囲内において、実施の形態を適宜、変形、省略することが可能である。
【符号の説明】
【００６８】
１  情報処理装置、２  ナビゲーション部、３  端末通信処理部、４  エンターテイメント情報記憶部、５  リスト記憶部、６  エンターテイメント情報取得部、７  車車間通信処理部、８  制御部、９  作成リスト記憶部、１０  表示処理部、１１  車両、１２  端末通信機、１３  車車間通信機、１４  ディスプレイ、１５  携帯端末、２１  位置情報取得部、２２  地図情報取得部、８１  地域情報作成部、８２  リスト作成部。
【図１】
2014203350.tif 000003
【図２】
2014203350.tif 000004
【図３】
2014203350.tif 000005